(57)【要約】      （修正有）【課題】背中が曲がるのを防ぎ、また既に曲がってしまった背中を矯正して、背筋をまっすぐにする三重構造の背中手入れポケットを提供する。【解決手段】後ろ手にした両手先を入れるための背中手入れポケットであって、縦１７センチ、横２０センチの四角形布の上下を上着、ベストなどの背面中央に縫い付けて形成した、左右両側を入り口とする第一の背中手入れポケットと、第一の背中手入れポケットの３センチ下に、上は第一の背中手入れポケットの布面に、下はベストなどの布面に縫い付けて形成した第一の背中手入れポケットと同じ形状の第二の背中手入れポケットと、第二の背中手入れポケットの３センチ下に縫い付けて形成した第一、第二の背中手入れポケットと同じ形状の第三の背中手入れポケットとを有する。【選択図】図１
0003221858.tif 000002
【実用新案登録請求の範囲】
【請求項１】
後ろ手にした両手先を入れるため、縦１７センチほど、横２０センチ程の四角形布の左右両側入り口とし、上下を上着、ベストなどの背面中央に縫い付けて閉じ、ポケットの中で左右の手先を重ねることが出来る背中手入れポケットを先ず作り、さらに、その背面上部に、同じ形状の背中ポケットを３センチ下にずらして、上は背中ポケットの布面に、下はベストなどの布面に縫い付ける、さらに、その背面上部に、同じ形状の背中ポケットを３センチ下にずらして同様に縫い付けた三重構造の背中手入れポケット。
【請求項２】
後ろ手にした両手先を入れるため、縦１７センチほど、横２２センチ程の四角形布の左右両側入り口とし、四角形の縦中央を閉じ、左右の手先が重ならないようにし、上下を上着、ベストなどの背面中央に縫い付けて閉じた背中手入れポケットを先ず作り、、さらに、その背面上部に、同じ形状の背中ポケットを３センチ下にずらして、上は背中ポケットの布面に、下はベストなどの布面に縫い付ける、さらに、その背面上部に、同じ形状の背中ポケットを３センチ下にずらして同様に縫い付けた三重構造の背中手入れポケット。
【請求項３】
１項、２項の三重構造の背中手入れポケットを背中背面中央肩甲骨下に縫い付けたベスト、袖なしカーディガン、上っ張り衣服。
【考案の詳細な説明】
【技術分野】
【０００１】  高齢者はだんだん背中が曲がっていく。姿勢が前かがみになるためである。そこで、椅子などに座って、テレビを見ているときなどに、背筋を伸ばし、内向き肩を広げるようにすればよいと考えた。そのため、ベスト、袖なしカーディガン、上衣などの背中にポケットを付け，そこに、後ろ手にした両手先を入れたらよいと考えた。こうすることによって、背筋が楽に伸び、内曲りの肩も広がるのである。
【背景技術】
【０００２】  両手を後ろに回して、手の平を外側に向け、背中で合わせると、背筋が伸び、内曲り肩も広がる。
【考案の開示】
【考案を解決しようとする課題】
【０００３】    後ろ手に背中で合わせた手先をそのまま、固定させればよい。そのため、両手先を入れるポケットをベストや上衣などの背中に付ける。
【課題を解決するための手段】
【０００４】    シャツや上衣またはベストなどの背中に手先を入れるためのポケットを付ける。
【考案の効果】
【０００５】    椅子などに座ってテレビを見ているときなど、後ろ手にした両手先をこのポケットに入れると、上半身の背筋が伸び、内曲り肩が広がり、曲がり始めた高齢者の背中を楽に矯正できる。
【考案を実施するための最良の形態】
【０００６】    この背中ポケットは、後ろ手にした両手先が手のひらを外向きにして合わせて入るような位置、背中中央，肩甲骨下、腰上につける。ポケットの入り口は左右横で上下は閉じ、中央で左右を分けるために閉じる。また、この中央の閉じを無くして、左右両手先を中で合わせるようにしてもよい。さらに、ポケットを付ける位置を上下に調節必要がある。そこで、ポケットを３センチづつ、上から下へずらし３重構造にする。、先ず、２重目の上端を一重目のポケットの上端から３センチ下にずらし、ポケットの生地に縫い付け、下はポケットを付ける本体の生地に縫い付ける。次に、三重目のポケット同様にして二重目のポケットの上につける。この際、下から上にずらしても構わない。また、二重構造でもよい。
【実施例】
【０００７】    高齢者がテレビなど見たり、ぼんやり外を見たりしているときこの背中ポケットに両手先を入れたら、背中の曲がりが次第に無くなって姿勢が良くなった。
【産業上の利用可能性】
【０００８】    高齢者の姿勢が良くなり、整形外科に行く必要が無くなり、医療費抑制に貢献できる。
【図面の簡単な説明】
【図１】  中央を閉じ、両手先が重ならない三重構造の背中手入れポケットの平面図である。
【図２】  同側面図である。
【図３】  左右の手を中で重ねられる三重構造の背中手入れポケットの平面図である。
【図４】  同側面図である。】
【図５】  三重構造の背中手入れポケット付ベストの平面図である。
【図６】  三重構造の背中手入れポケット付上衣の平面図である。
【符号の説明】    １、ポケット入り口である。
２、ポケット入り口である。
３、ポケットを上着などに縫い付けた閉じ目である。
４、ポケットを上着などに縫い付けた閉じ目である。
５、左右を分ける閉じ目である。
６、ポケットを上着などに縫い付けた閉じ目である。
７、ポケットを上着などに縫い付けた閉じ目である。
８、左右を中央で分ける綴じ目の無い２重目のポケットを３センチ下にずらして同一重目のポケットの上に縫い付けた綴じ目である。
９、  左右を中央で分ける綴じ目の無い３重目のポケットを３センチ下にずらして２重目のポケットの上に縫い付けた綴じ目である。
【図１】
0003221858.tif 000003
【図２】
0003221858.tif 000004
【図３】
0003221858.tif 000005
【図４】
0003221858.tif 000006
【図５】
0003221858.tif 000007
【図６】
0003221858.tif 000008
【手続補正書】
【提出日】平成31年1月28日(2019.1.28)
【手続補正１】
【補正対象書類名】実用新案登録請求の範囲
【補正対象項目名】請求項１
【補正方法】変更
【補正の内容】
【請求項１】
縦１７ｃｍ横２０ｃｍ厚さ０．７ｍｍほどの四角形布を３枚重ねて、上から下に３ｃｍずつずらした形状の三重構造の物体をポケットの上側表面とする。３枚重ねの布の上側の２枚の布の上端は各その下の布１枚だけに縫い付けてある．さらに、最下の布の上端と下端、およびその上に乗る上側の２枚の布の下端はベストなどの背中、肩甲骨下中央に縫い付けて，３個のポケットにする。全体の左右両側は開放で３個の入り口となる。ここに両手を後ろに回し、手先でまさぐり挿入すると、筒状になったポケットの中で両手先は出会い，肘はクの字になり、人間の体の構造上、背筋が伸び姿勢がよくなる。上記構造の後ろ手にした両手先を入れるための三重構造背中手入れポケット。
【手続補正２】
【補正対象書類名】実用新案登録請求の範囲
【補正対象項目名】請求項２
【補正方法】変更
【補正の内容】
【請求項２】
後ろ手にした両手先を入れるため、縦１７ｃｍ横２２ｃｍ厚さ０．７ｍｍほどの四角形布を３枚重ねて、上から下に３ｃｍずつずらし形状の三重構造の物体をポケットの上側表面とする。３枚重ねの布の上側の２枚の布の上端は各その下の布１枚だけに縫い付けてある。さらに、最下の布の上端と下端、および上側の２枚の布の下端はベストなどの背中、肩甲骨下中央に縫い付ける。全体の左右両側は開放で入り口となる。さらに、３枚全体の中央を上から下にベストなどに縫い付けて閉じる。挿入した時、中で両手先が布に当たり出会わない。さらに、両手を後ろに回しポケットに入れたとき，クの字に曲がった肘と、ポケットの距離が少し長くなり、背筋をまっすぐにする力が強化される。。上記構造の三重構造の背中手入れポケット。
【手続補正３】
【補正対象書類名】実用新案登録請求の範囲
【補正対象項目名】請求項３
【補正方法】変更
【補正の内容】
【請求項３】
請求項１または２項の三重構造背中手入れポケットにおいて、このポケットを背中背面中央肩甲骨下に縫い付けたベスト、袖なしカーディガン。または上っ張り衣服。
【手続補正４】
【補正対象書類名】明細書
【補正対象項目名】０００５
【補正方法】変更
【補正の内容】
【０００５】  椅子などに座って、テレビを見ているときなど、両手を後ろに回して、両手先を本考案のポケットに挿入するのであるが、まず、３枚重ねの最下位、表面上は最上位のポケットを使うときは、両手先をまさぐるようにして、かなり苦労して挿入しなければならない。しかし、その結果、人間の体の構造上、背筋が自然と伸び、まっすぐになる。また、３枚重ねの２枚目のポケットに挿入する場合は、後ろ手にした腕がややゆるくなり、前回より楽に挿入できる。さらに、３枚目の最上部、表面上は最下位のポケットに挿入する場合は、もっと楽に挿入できる。このことは、各人の身長に応じて、もっともよい位置のポケットを選ぶことが出来るということである。
【手続補正書】
【提出日】平成31年3月22日(2019.3.22)
【手続補正１】
【補正対象書類名】実用新案登録請求の範囲
【補正対象項目名】請求項１
【補正方法】変更
【補正の内容】
【請求項１】
縦１７センチ、横２０センチの四角形布の上下を上着、ベストなどの背面中央に縫い付けて形成した、左右両側を入り口とする第一の背中手入れポケットと、前記第一の背中手入れポケットの３センチ下に、上は前記第一の背中手入れポケットの布面に、下はベストなどの布面に縫い付けて形成した前記第一の背中手入れポケットと同じ形状の第二の背中手入れポケットと、前記第二の背中手入れポケットの３センチ下に縫い付けて形成した前記第一、第二の背中手入れポケットと同じ形状の第三の背中手入れポケットとを有する、後ろ手にした両手先を入れるための三重構造の背中手入れポケット。
【手続補正２】
【補正対象書類名】実用新案登録請求の範囲
【補正対象項目名】請求項２
【補正方法】変更
【補正の内容】
【請求項２】
縦１７センチ横２２センチの四角形布の上下を上着、ベストなどの背面中央に縫い付け、四角形の縦中央を閉じることで形成した、左右両側を入り口として左右の手先が重ならないようにした第一の背中手入れポケットと、前記第一の背中手入れポケットの３センチ下に、上は前記第一の背中手入れポケットの布面に、下はベストなどの布面に縫い付けて形成した前記第一の背中手入れポケットと同じ形状の第二の背中手入れポケットと、前記第二の背中手入れポケットの３センチ下に縫い付けて形成した前記第一、第二の背中手入れポケットと同じ形状の第三の背中手入れポケットを有する、後ろ手にした手先を入れるための三重構造の背中手入れポケット。
【手続補正３】
【補正対象書類名】実用新案登録請求の範囲
【補正対象項目名】請求項３
【補正方法】変更
【補正の内容】
【請求項３】
請求項１または２項の三重構造背中手入れポケットを背中背面中央肩甲骨下に縫い付けたベスト、袖なしカーディガンまたは上っ張り衣服。